(57)【要約】【課題】ホットスポットサービスのような限定的な一の領域内でのインターネット接続等を含む通信サービスに適合し、簡易な手段によって盗聴の虞れをなくした無線ネットワークサービス提供方法、および、無線ネットワークシステムを提供する。【解決手段】このホットスポットで、通信サービスに加入しているユーザが当該アクセスポイントにアクセスしたときに、ユーザ毎に異なる加工方法によってペイロードの加工を行ない、これにより当該加工された部分のデータに基づいて各ユーザを区別する。【選択図】    図１
2004186850.tif 000002
【特許請求の範囲】
【請求項１】
無線ＬＡＮ等のローカルワイヤレスインタフェースによって限定的な一の領域内で所定のアクセスポイントへのアクセスを可能にしてインターネット接続等を含む通信サービスを提供するようにした無線ネットワークサービス提供方法であって、
前記通信サービスに加入しているユーザが当該アクセスポイントにアクセスしたときに、ユーザ毎に異なる加工方法によってペイロードの加工を行い、当該加工された部分のデータに基づいて各ユーザを区別することを特徴とする無線ネットワークサービス提供方法。
【請求項２】
前記ペイロードの加工方法は、前記一の領域内で用いられ得る複数通りのペイロードの加工方法を用意しておき、各ユーザ毎に異なる一の加工方法を選択的に適用するものであることを特徴とする請求項１に記載の無線ネットワークサービス提供方法。
【請求項３】
前記ペイロードの加工方法は、予め準備した複数通りの加工方法のうちの一の加工方法をランダムに選択してペイロードの加工を行うものであることを特徴とする請求項１に記載の無線ネットワークサービス提供方法。
【請求項４】
前記通信サービスは、複数のサブネットワークを通信回線を介して接続してなるＶＬＡＮによってサービスを行うものであることを特徴とする請求項１に記載の無線ネットワークサービス提供方法。
【請求項５】
前記通信サービスは、特定の場所でインターネット接続やコンテンツサービスを提供するホットスポットによる通信サービスが及ぶ一の領域内で提供するものであることを特徴とする請求項１に記載の無線ネットワークサービス提供方法。
【請求項６】
無線ＬＡＮ等のローカルワイヤレスインタフェースによって限定的な一の領域内で所定のアクセスポイントへのアクセスを可能にしてインターネット接続等を含む通信サービスを提供するようにした無線ネットワークシステムであって、
前記通信サービスに加入しているユーザが当該アクセスポイントにアクセスしたときに、ユーザ毎に異なる加工方法によってペイロードの加工を行い、当該加工された部分のデータに基づいて各ユーザを区別することを特徴とする無線ネットワークシステム。
【請求項７】
前記ペイロードの加工方法は、前記一の領域内で用いられ得る複数通りのペイロードの加工方法を用意しておき、各ユーザ毎に異なる一の加工方法を選択的に適用するものであることを特徴とする請求項６に記載の無線ネットワークシステム。
【請求項８】
前記ペイロードの加工方法は、予め準備した複数通りの加工方法のうちの一の加工方法をランダムに選択してペイロードの加工を行うものであることを特徴とする請求項６に記載の無線ネットワークシステム。
【請求項９】
前記通信サービスは、複数のサブネットワークを通信回線を介して接続してなるＶＬＡＮによってサービスを行うものであることを特徴とする請求項６に記載の無線ネットワークシステム。
【請求項１０】
前記通信サービスは、特定の場所でインターネット接続やコンテンツサービスを提供するホットスポットによる通信サービスが及ぶ一の領域内で提供するものであることを特徴とする請求項６に記載の無線ネットワークシステム。
【請求項１１】
前記通信サービスは、ポータルスイッチのＶＬＡＮによるデータ通信を用いて提供するものであることを特徴とする請求項１に記載の無線ネットワークサービス提供方法。
【請求項１２】
前記通信サービスは、ポータルスイッチのＶＬＡＮによるデータ通信を用いて提供するものであることを特徴とする請求項６に記載の無線ネットワークシステム。
【発明の詳細な説明】
【０００１】
【発明の属する技術分野】
本発明は、例えばホットスポットのような無線ＬＡＮ等のローカルワイヤレスインタフェースによって限定的な或る領域内で、所定のアクセスポイントへのアクセスを可能にしてインターネット接続等を含む通信サービスを提供するようにした無線ネットワークサービス提供方法、および、無線ネットワークシステムに関する。
【０００２】
【従来の技術】
空港、ホテル、喫茶店やファーストフード店等の店舗内等の特定の場所でインターネット接続やコンテンツサービスを提供する、いわゆる「ホットスポットサービス」が実用化されるようになりつつある。これは、極めて限定的なエリア内に対してのサービスとして、無線ＬＡＮやＢｌｕｅｔｏｏｔｈ等のローカルワイヤレスインタフェースと称される無線技術によってインターネット接続等のサービスを提供するものである。
【０００３】
このような、ホットスポットでは、無線ＬＡＮ等のローカルワイヤレスインタフェースによって通話を行う場合、隣接するユーザと同様のＷＥＰキーを使用するのが普通であり、容易に盗聴ができてしまう。
【０００４】
家庭内無線ＬＡＮ、企業内無線ＬＡＮなどの閉じられた環境における無線通信において、盗聴、傍受出来ない無線通信装置、無線通信方法を提供する方法、乃至は、無線ＬＡＮシステムで、無線区間からの傍受を防ぐための暗号化を行う方法は従来から提案されている（例えば特許文献１、特許文献２等）。
【０００５】
【特許文献１】
特開２００１−３４５７９５号公報（第４−５頁、図６）
【特許文献２】
特開２０００−３１９８０号公報（第２−３頁、図１）
【０００６】
また、ホームネットワーク側の管理サーバにＬＡＮ端末の属性を管理する手段を設けるとともに、リモートネットワーク側の移動先サーバにＬＡＮ端末の属性を判定する手段及び該判定結果に基づいてＬＡＮ端末の属性を管理する手段を設けて、仮想無線ＬＡＮ端末から無線基地局を介して送出されるパケットの識別を可能とする仮想無線ＬＡＮシステムを構築することも提案されている（例えば、特許文献３）。
【０００７】
【特許文献３】
特開平１０−１７３６６５号公報（第２−３頁、図１）
【０００８】
更にまた、パケットのデータを、各ブロードキャストドメイン毎に異なるスクランブルパターンを用いて暗号化した後、各端末に送信し、各端末では該端末が属するブロードキャストドメインに付与されたスクランブルパターンを用いて復号することにより、他のブロードキャストドメインのパケットを受信してもデータが正しく復元されないようにして、データが漏れる虞れを払拭し、複数の各ブロードキャストドメインに属する端末同士の間でのみデータのやりとりを可能とするＬＡＮシステムを実現することも提案されている（例えば、特許文献４）。
【０００９】
【特許文献４】
特開平１０−１７３６９２号公報（第２−３頁、図２）
【００１０】
【発明が解決しようとする課題】
しかしながら、上記従来の何れの提案も、データ漏洩の虞れを完全に払拭するといった視点では優れたものであるが、近年普及しつつあるホットスポットサービス等に適用するには相対的には未だ複雑で大規模なものである。
【００１１】
そこで、本発明の目的は、ホットスポットサービスのような限定的な一の領域内でのインターネット接続等を含む通信サービスに適合し、簡易な手段によって盗聴の虞れをなくした無線ネットワークサービス提供方法、および、無線ネットワークシステムを提供することにある。
【００１２】
【課題を解決するための手段】
上述の課題を解決するため、本発明は、次のような特徴的なものである。
【００１３】
（１）無線ＬＡＮ等のローカルワイヤレスインタフェースによって限定的な一の領域内で所定のアクセスポイントへのアクセスを可能にしてインターネット接続等を含む通信サービスを提供するようにした無線ネットワークサービス提供方法であって、
前記通信サービスに加入しているユーザが当該アクセスポイントにアクセスしたときに、ユーザ毎に異なる加工方法によってペイロードの加工を行い、当該加工された部分のデータに基づいて各ユーザを区別する無線ネットワークサービス提供方法。
【００１４】
（２）前記ペイロードの加工方法は、前記一の領域内で用いられ得る複数通りのペイロードの加工方法を用意しておき、各ユーザ毎に異なる一の加工方法を選択的に適用するものである上記（１）の無線ネットワークサービス提供方法。
【００１５】
（３）前記ペイロードの加工方法は、予め準備した複数通りの加工方法のうちの一の加工方法をランダムに選択してペイロードの加工を行うものである上記（１）の無線ネットワークサービス提供方法。
【００１６】
（４）前記通信サービスは、複数のサブネットワークを通信回線を介して接続してなるＶＬＡＮによってサービスを行うものである上記（１）の無線ネットワークサービス提供方法。
【００１７】
（５）前記通信サービスは、特定の場所でインターネット接続やコンテンツサービスを提供するホットスポットによる通信サービスが及ぶ一の領域内で提供するものである上記（１）の無線ネットワークサービス提供方法。
【００１８】
（６）無線ＬＡＮ等のローカルワイヤレスインタフェースによって限定的な一の領域内で所定のアクセスポイントへのアクセスを可能にしてインターネット接続等を含む通信サービスを提供するようにした無線ネットワークシステムであって、
前記通信サービスに加入しているユーザが当該アクセスポイントにアクセスしたときに、ユーザ毎に異なる加工方法によってペイロードの加工を行い、当該加工された部分のデータに基づいて各ユーザを区別する無線ネットワークシステム。
【００１９】
（７）前記ペイロードの加工方法は、前記一の領域内で用いられ得る複数通りのペイロードの加工方法を用意しておき、各ユーザ毎に異なる一の加工方法を選択的に適用するものである上記（６）の無線ネットワークシステム。
【００２０】
（８）前記ペイロードの加工方法は、予め準備した複数通りの加工方法のうちの一の加工方法をランダムに選択してペイロードの加工を行うものである上記（６）の無線ネットワークシステム。
【００２１】
（９）前記通信サービスは、複数のサブネットワークを通信回線を介して接続してなるＶＬＡＮによってサービスを行うものである上記（６）の無線ネットワークシステム。
【００２２】
（１０）前記通信サービスは、特定の場所でインターネット接続やコンテンツサービスを提供するホットスポットによる通信サービスが及ぶ一の領域内で提供するものである上記（６）の無線ネットワークシステム。
【００２３】
（１１）前記通信サービスは、ポータルスイッチのＶＬＡＮによるデータ通信を用いて提供するものである上記（１）の無線ネットワークサービス提供方法。
【００２４】
（１２）前記通信サービスは、ポータルスイッチのＶＬＡＮによるデータ通信を用いて提供するものである上記（６）の無線ネットワークシステム。
【００２５】
【発明の実施の形態】
以下、本発明の無線ネットワークサービス提供方法、および、無線ネットワークシステムの好適実施形態について詳細に説明する。
【００２６】
図は本発明の無線ネットワークサービス提供方法、および、無線ネットワークシステムを説明するための概念図である。
【００２７】
本発明の無線ネットワークサービス提供方法を実施する無線ネットワークシステムでは、例えば、無線ＬＡＮ等のローカルワイヤレスインタフェースによって限定的な一の領域内で所定のアクセスポイントへのアクセスを可能にしてインターネット接続等を含む通信サービスを提供するようにしたホットスポット１０を構成している。
【００２８】
即ち、ホットスポット１０は、無線ＬＡＮやＢｌｕｅｔｏｏｔｈ等のローカルワイヤレスインタフェースと称される無線技術によって、空港、ホテル、喫茶店やファーストフード店等の店舗内等の限定的な場所でインターネット接続やコンテンツサービス等の通信サービスを提供するようになされたホットスポットである。
【００２９】
このホットスポット１０内には、通信サービスに加入している複数のユーザ２１，２２，２３，２４，２５，……………が図示されない所定のアクセスポイントにアクセス可能に構成されている。
【００３０】
本発明のシステムでは、これらユーザ２１，２２，２３，２４，２５，……………が当該アクセスポイントにアクセスしたときに、ユーザ毎に異なる加工方法によってペイロードの加工を行い、当該加工された部分のデータに基づいて各ユーザを区別する。
【００３１】
茲に、ユーザ２１，２２，２３，２４，２５，……………のペイロードの加工方法としては、一の領域としてのホットスポット１０内で用いられ得る複数通りのペイロードの加工方法を予め用意しておき、各ユーザ毎に異なる一の加工方法を選択的に適用するといった方法が適用され得る。
【００３２】
また、各ユーザ毎に異なるペイロードの加工方法を適用するについては、予め準備した複数通りの加工方法のうちの一の加工方法をランダムに選択してペイロードの加工を行うようにして行われ得る。
【００３３】
ホットスポット１０での上記通信サービスは、複数のサブネットワークを通信回線を介して接続してなるＶＬＡＮによって行われ得る。ＶＬＡＮ（ヴァーチャルＬＡＮ）は複数のサブネットワークを通信回線を介して接続してなる論理的（仮想的）なＬＡＮシステムであり、この実施形態では、各端末（ユーザ）のアクセス系に無線を用いた仮想無線ＬＡＮシステムが構築される態様がとられ得る。
【００３４】
上述したような実施形態によれば、ユーザ毎に異なる形態のペイロードを持つことになり、同じホットスポット内で行われる一の通信の当事者でない他のユーザの侵入や盗聴が防止される。
【００３５】
また、本発明は、所謂ホットスポットに限らず、無線ＬＡＮ等のローカルワイヤレスインタフェースによって限定的な一の領域内で所定のアクセスポイントへのアクセスを可能にしてインターネット接続等を含む通信サービスを提供するようにした無線ネットワークシステムに広く適用されて有効である。
【００３６】
以上、本発明の好適実施形態例を説明したが、これは単なる例示にすぎず、特定用途に応じて種々の変形変更が可能であること勿論である。
【００３７】
【発明の効果】
本発明によれば、ホットスポットサービスのような限定的な領域内でのインターネット接続等を含む通信サービスに適合し、簡易な手段によって盗聴の虞れをなくした無線ネットワークサービス提供方法、および、無線ネットワークシステムが提供される。
【図面の簡単な説明】
【図１】本発明の無線ネットワークサービス提供方法、および、無線ネットワークシステムを説明するための概念図である。
【符号の説明】
１０                            ホットスポット
２１，２２，２３，２４，２５    ユーザ
【図１】
2004186850.tif 000003